(57)【特許請求の範囲】
【請求項１】
直流電源より交流又は直流の高圧電圧を生成してこれを被治療者に対して加えて電位治療を行うために用いられるデジタル高圧電位治療器であって、
入力電源の電圧を所定の電圧に制御するための電圧制御手段（１０）と、
該電圧制御手段（１０）により予め設定された電圧レベルに変圧された電源を高圧の直流又は交流に変換して出力するための高圧電位発生手段（１７）と、
該高圧電位発生手段（１７）で生成された高圧の直流又は交流を被治療者側に出力するための出力手段（２２）と、
複数のモードを選択可能なモードスイッチ（６）を備えるとともに、該モードスイッチ（６）によるモード設定に応じて、少なくとも前記電圧制御手段（１０）、高圧電位発生手段（１７）及び出力手段（２２）の作動を制御するマイコン（５）と、を具備し、
前記高圧電位発生手段（１７）は、
供給された電源を高圧のパルス信号に変換して出力するパルス発振回路（１８）と、
プラス側の位相制御回路（１９Ａ）とマイナス側の位相制御回路（１９Ｂ）を備えて、被治療者に交流を加えるときには前記パルス発振回路（１８）から出力されたパルス信号から、プラス側の信号とマイナス側の信号をそれぞれ取り出し、被治療者に直流を加えるときには、マイナス側の位相制御回路（１９Ｂ）のみが作動して、前記パルス発振回路（１８）から出力されたパルス信号よりマイナス側の信号を取り出す位相制御回路（１９）と、
プラス側の位相制御回路（１９Ａ）で取り出された信号を所定の倍率で逓倍するプラス側逓倍回路（２０Ａ）と、マイナス側の位相制御回路（１９Ｂ）で取り出された信号を所定の倍率で逓倍するマイナス側逓倍回路（２０Ｂ）を備えて、交流を出力する場合にはプラス側逓倍回路（２０Ａ）とマイナス側逓倍回路（２０Ｂ）の双方が機能し、直流を出力する場合にはマイナス側逓倍回路（２０Ｂ）が機能する逓倍回路（２０）と、
プラス側出力制御回路（２１Ａ）とマイナス側出力制御回路（２１Ｂ）を有して、被治療者に交流を加えるときには、プラス側逓倍回路（２０Ａ）で所定の倍率に逓倍されたプラス波形とマイナス側逓倍回路（２０Ｂ）で所定の倍率に逓倍されたマイナス波形のそれぞれの信号についてゼロ点を合成することで交流波形を生成して出力し、被治療者に直流を加えるときには、マイナス側逓倍回路（２０Ｂ）で所定の倍率で逓倍された波形を用いて直流波形を生成して出力する出力制御回路（２１）と、を具備したことを特徴とするデジタル高圧電位治療器。
【請求項２】
直流電源より交流又は直流の高圧電圧を生成して、被治療者に対して高圧の直流若しくは交流を加えて電位治療を行い、又は温熱を加えて温熱治療を行うためのデジタル高圧電位治療器であって、
入力電源の電圧を所定の電圧に制御するための電圧制御手段（１０）と、
電位治療と温熱治療とを切り替えるための切替手段（１４）と、
電位治療が選択されている場合に、前記電圧制御手段（１０）により予め設定された電圧レベルに変圧された電源を高圧の直流又は交流に変換して出力するための高圧電位発生手段（１７）と、
被治療者に電位を加えるときには前記高圧電位発生手段（１７）で生成された高圧の直流又は交流を出力し、被治療者に温熱を加えるときには前記電圧制御手段（１０）により所定電圧に制御された電源を出力するための出力手段（２２）と、
複数のモードを選択可能なモードスイッチ（６）を備えるとともに、該モードスイッチ（６）によるモード設定に応じて、少なくとも前記電圧制御手段（１０）、切替手段（１４）、高圧電位発生手段（１７）及び出力手段（２２）の作動を制御するマイコン（５）と、を具備し、
前記高圧電位発生手段（１７）は、
供給された電源を高圧のパルス信号に変換して出力するパルス発振回路（１８）と、
プラス側の位相制御回路（１９Ａ）とマイナス側の位相制御回路（１９Ｂ）を備えて、被治療者に交流を加えるときには前記パルス発振回路（１８）から出力されたパルス信号から、プラス側の信号とマイナス側の信号をそれぞれ取り出し、被治療者に直流を加えるときには、マイナス側の位相制御回路（１９Ｂ）のみが作動して、前記パルス発振回路（１８）から出力されたパルス信号よりマイナス側の信号を取り出す位相制御回路（１９）と、
プラス側の位相制御回路（１９Ａ）で取り出された信号を所定の倍率で逓倍するプラス側逓倍回路（２０Ａ）と、マイナス側の位相制御回路（１９Ｂ）で取り出された信号を所定の倍率で逓倍するマイナス側逓倍回路（２０Ｂ）を備えて、交流を出力する場合にはプラス側逓倍回路（２０Ａ）とマイナス側逓倍回路（２０Ｂ）の双方が機能し、直流を出力する場合にはマイナス側逓倍回路（２０Ｂ）が機能する逓倍回路（２０）と、
プラス側出力制御回路（２１Ａ）とマイナス側出力制御回路（２１Ｂ）を有して、被治療者に交流を加えるときには、プラス側逓倍回路（２０Ａ）で所定の倍率に逓倍されたプラス波形とマイナス側逓倍回路（２０Ｂ）で所定の倍率に逓倍されたマイナス波形のそれぞれの信号についてゼロ点を合成することで交流波形を生成して出力し、被治療者に直流を加えるときには、マイナス側逓倍回路（２０Ｂ）で所定の倍率で逓倍された波形を用いて直流波形を生成して出力する出力制御回路（２１）と、を具備したことを特徴とするデジタル高圧電位治療器。
【発明の詳細な説明】
【技術分野】
【０００１】
本発明は、被治療者に高圧の直流または交流を加えることにより電位治療を可能としたデジタル高圧電位治療器に係り、より詳しくは、装置全体の軽量化、及び不用な振動等を抑えることを可能としたデジタル高圧電位治療器に関する。
【背景技術】
【０００２】
従来から、頭痛、肩こり、不眠等を治療するための装置として、血液循環をよくして体質改善に効果を有する高圧電位治療器が用いられている。
【０００３】
ここで、高圧電位治療器とは、被治療者の身体に高圧の電位を加える装置であり、この高圧電位治療器を用いて治療を行うことにより、被治療者は、血液循環が良くなり体質が改善され、頭痛、肩こり、不眠等を無くすることができるものである。
【０００４】
しかしながら、高圧電位治療器は供給された電源電圧を高圧に変換して出力するものであり、この高圧に変換する方法として従来は大型のトランスを用いていたために、装置全体が大型化、重量化してしまい、例えば１階から２階への移動、隣室への移動が困難で、１箇所に置かざるを得ないという問題点があった。
【０００５】
また、高圧電位治療器には高圧の直流を被治療者に加える直流式高圧電位治療器と、高圧の交流を被治療者に加える交流式高圧電位治療器とがあり、それぞれに利点と欠点があるため、近年になり、交流式高圧電位治療器と直流式高圧電位治療器の双方の利点を活用可能なものとして、切り替えにより交流と直流の双方を出力可能な直流交流電位治療器も提供されてきているが、この従来から提供されている直流交流電位治療器においても、電源電圧を高圧に変換して出力するものであり、この高圧に変換する方法として従来は大型のトランスを用いていたため、装置全体が大型化、重量化してしまうという問題点があった。
【０００６】
そのため、本発明者は過去において、大型のトランスを用いずに電源電圧を高圧に変換可能とした高圧電位治療器を提案した。
【特許文献１】特開２００５−４０２４１号公報
【発明の開示】
【発明が解決しようとする課題】
【０００７】
しかしながら、従来から提供されている直流交流電位治療器では、交流波形の出力に際しては、直流電源の電圧を用いて交流波形を生成し、この生成した交流波形を高圧に変換して単に出力する方法としていたために、ゼロ点を維持することができず、正確な交流波形の電圧を出力することが困難であった。
【０００８】
そこで、本発明は、大型のトランスを用いることなく電源電圧を高圧に変換可能であるとともに、直流電源を交流波形に変換するに際して、ゼロ点を維持して正確な交流波形の電圧を出力可能としたデジタル高圧電位治療器を提供することを課題としている。
【課題を解決するための手段】
【０００９】
請求項１に記載の本発明は、直流電源より交流又は直流の高圧電圧を生成してこれを被治療者に対して加えて電位治療を行うために用いられるデジタル高圧電位治療器であって、
入力電源の電圧を所定の電圧に制御するための電圧制御手段と、
該電圧制御手段により予め設定された電圧レベルに変圧された電源を高圧の直流又は交流に変換して出力するための高圧電位発生手段と、
該高圧電位発生手段で生成された高圧の直流又は交流を被治療者側に出力するための出力手段と、
複数のモードを選択可能なモードスイッチを備えるとともに、該モードスイッチによるモード設定に応じて、少なくとも前記電圧制御手段、高圧電位発生手段及び出力手段の作動を制御するマイコンと、を具備し、
前記高圧電位発生手段は、
供給された電源を高圧パルス信号に変換して出力するパルス発振回路と、
プラス側の位相制御回路とマイナス側の位相制御回路を備えて、被治療者に交流を加えるときには前記パルス発振回路から出力されたパルス信号から、プラス側の信号とマイナス側の信号をそれぞれ取り出し、被治療者に直流を加えるときには、マイナス側の位相制御回路のみが作動して、前記パルス発振回路から出力されたパルス信号よりマイナス側の信号を取り出す位相制御回路と、
プラス側の位相制御回路で取り出された信号を所定の倍率で逓倍するプラス側逓倍回路と、マイナス側の位相制御回路で取り出された信号を所定の倍率で逓倍するマイナス側逓倍回路を備えて、交流を出力する場合にはプラス側逓倍回路とマイナス側逓倍回路の双方が機能し、直流を出力する場合にはマイナス側逓倍回路が機能する逓倍回路と、
プラス側出力制御回路とマイナス側出力制御回路を有して、被治療者に交流を加えるときには、プラス側逓倍回路で所定の倍率に逓倍されたプラス波形とマイナス側逓倍回路で所定の倍率に逓倍されたマイナス波形のそれぞれの信号についてゼロ点を合成することで交流波形を生成して出力し、被治療者に直流を加えるときには、マイナス側逓倍回路で所定の倍率で逓倍された波形を用いて直流波形を生成して出力する出力制御回路と、を具備したことを特徴としている。
【００１１】
また、請求項２に記載の本発明は、直流電源より交流又は直流の高圧電圧を生成して、被治療者に対して高圧の直流若しくは交流を加えて電位治療を行い、又は温熱を加えて温熱治療を行うためのデジタル高圧電位治療器であって、
入力電源の電圧を所定の電圧に制御するための電圧制御手段と、
電位治療と温熱治療とを切り替えるための切替手段と、
電位治療が選択されている場合に、前記電圧制御手段により予め設定された電圧レベルに変圧された電源を高圧の直流又は交流に変換して出力するための高圧電位発生手段と、
被治療者に電位を加えるときには前記高圧電位発生手段で生成された高圧の直流又は交流を出力し、被治療者に温熱を加えるときには前記電圧制御手段により所定電圧に制御された電源を出力するための出力手段と、
複数のモードを選択可能なモードスイッチを備えるとともに、該モードスイッチによるモード設定に応じて、少なくとも前記電圧制御手段、切替手段、高圧電位発生手段及び出力手段の作動を制御するマイコン、とを具備し、
前記高圧電位発生手段は、
供給された電源を高圧のパルス信号に変換して出力するパルス発振回路と、
プラス側の位相制御回路とマイナス側の位相制御回路を備えて、被治療者に交流を加えるときには前記パルス発振回路から出力されたパルス信号から、プラス側の信号とマイナス側の信号をそれぞれ取り出し、被治療者に直流を加えるときには、マイナス側の位相制御回路のみが作動して、前記パルス発振回路から出力されたパルス信号よりマイナス側の信号を取り出す位相制御回路と、
プラス側の位相制御回路で取り出された信号を所定の倍率で逓倍するプラス側逓倍回路と、マイナス側の位相制御回路で取り出された信号を所定の倍率で逓倍するマイナス側逓倍回路を備えて、交流を出力する場合にはプラス側逓倍回路とマイナス側逓倍回路の双方が機能し、直流を出力する場合にはマイナス側逓倍回路が機能する逓倍回路と、
プラス側出力制御回路とマイナス側出力制御回路を有して、被治療者に交流を加えるときには、プラス側逓倍回路で所定の倍率に逓倍されたプラス波形とマイナス側逓倍回路で所定の倍率に逓倍されたマイナス波形のそれぞれの信号についてゼロ点を合成することで交流波形を生成して出力し、被治療者に直流を加えるときには、マイナス側逓倍回路で所定の倍率で逓倍された波形を用いて直流波形を生成して出力する出力制御回路と、を具備したことを特徴としている。
【発明の効果】
【００１８】
本発明においては、モード設定に応じて、入力電源の電圧を予め設定した電圧に制御した後に、この予め設定された電圧レベルに変圧された電源を高圧の直流又は交流に変換して出力可能としているため、大型のトランスが不要となる。
【００１９】
また、入力された直流電源を高圧の交流に変換して出力するに際しては、供給された電源を高圧のパルス信号に変換して出力した後に、このパルス信号よりプラス側の信号及びマイナス側の信号をそれぞれ取り出し、この取り出したプラス側信号及びマイナス側信号を高圧に変換し、その後、高圧に変換したプラス側信号及びマイナス側信号を、ゼロ点を合成して出力することを可能にしているため、ゼロ点を維持して正確な交流波形の電圧を出力することが可能である。
【発明を実施するための最良の形態】
【００２０】
本発明のデジタル高圧電位治療器では、入力された電源電圧を所定の電圧の直流に変換するためのスイッチング電源を備えている。そして、このスイッチング電源には、入力された電源の電圧を所定の電圧に制御するための電圧制御手段が接続されている。
【００２１】
また、電圧制御手段には制御手段としてのマイコンが接続されており、このマイコンは、治療器全体の作動を制御するとともに、モードスイッチを介して設定された指示に従い、前記電圧制御手段を制御して、電圧制御手段によって変換する電圧値を制御可能としている。
【００２２】
次に、電圧制御手段には、高圧の電位を出力可能にするための交流／直流切替回路と、温熱を出力可能にするための温熱切替回路が接続されており、これらの交流／直流切替回路及び温熱切替回路は、電位温熱制御回路を介して、マイコンからの制御により作動可能としている。
【００２３】
そして、交流／直流切替回路には高圧発生手段が接続されており、この高圧電位発生手段は、供給された電源を高圧のパルス信号に変換して出力するパルス発振回路を備え、このパルス発振回路には、被治療者に交流を加えるときには前記パルス信号よりプラス側の信号及びマイナス側の信号をそれぞれ取り出し、被治療者に直流を加えるときには前記パルス信号よりマイナス側の信号を取り出すための位相制御回路が接続されている。
【００２４】
また、高圧電位発生手段には、前記位相制御回路よりの出力を高圧に変換する逓倍回路が備えられており、この逓倍回路は、前記パルス発振回路及び位相制御回路に接続されている。
【００２５】
更に、前記逓倍回路には、前記逓倍回路により高圧に変換された信号について、そのゼロ点を合成するための出力制御回路が接続されている。
【００２６】
次に、高圧電位発生手段における出力制御回路、及び、前記温熱切替回路には、出力手段としての電位温熱切替回路が接続されている。そして、この電位温熱切替回路を介して、被治療者に電位を加えるときには前記出力制御回路の出力を高圧ソケットに出力し、被治療者に温熱を加えるときには、前記温熱切替回路の出力を高圧ソケットに出力する。
【００２７】
そして、このような構成において、スイッチをオンにした後にモードを設定すると、モード設定に応じて、マイコンの制御により、入力電源の電圧が所定の電圧に変換される。
【００２８】
そして、温熱を被治療者に加えるときには、前記電圧制御回路により所定の電圧に変換された電源は、温熱切替回路を介して電位温熱切替回路に出力され、更に高圧ソケットに出力される。
【００２９】
一方、高圧の直流を被治療者に加えるときには、前記所定の電圧に変換された電源は、まず、高圧のパルス信号に変換され、この高圧のパルス信号よりマイナス側の信号が取り出され、この取り出したマイナス側の信号が高圧に変換されるとともに、高圧に変換されたマイナス側信号が、電位温熱切替回路を介して高圧ソケットに出力される。
【００３０】
また、高圧の交流を被治療者に加えるときには、前記所定の電圧に変換された電源は、まず、高圧のパルス信号に変換され、この高圧のパルス信号よりプラス側の信号及びマイナス側の信号がそれぞれ取り出され、この取り出したプラス側の信号及びマイナス側の信号のそれぞれが高圧に変換し、高圧に変換されたプラス側信号及びマイナス側信号は、ゼロ点が合成された後に、電位温熱切替回路を介して高圧ソケットに出力される。
【実施例１】
【００３１】
本発明のデジタル高圧電位治療器の実施例について図面を参照して説明すると、図１は、本実施例の回路構成を示すブロック図であり、図１に示すデジタル高圧電位治療器１では、電位治療の他にヒーターによる温熱治療を可能にしているとともに、直流と交流を被治療者の選択に基づいて切り替え可能なものとしている。
【００３２】
即ち、本実施例のデジタル高圧電位治療器１では、治療器全体を制御するための制御手段としてのマイコン５を備えており、このマイコン５には、モードの選択や各種設定を行うためのモードスイッチ６と、表示手段７と、音声発生手段としてのスピーカー８とが接続されており、表示手段７における表示、及びスピーカー８音声案内等を参考にしながら、モードスイッチ６によりモードの種類、電圧値等を設定可能としている。そして、本実施例において設定可能な電圧値としては、直流電圧の場合は１，０００Ｖから１４，０００Ｖ、交流の場合は１，０００Ｖから９，０００Ｖとし、更に、温熱に関しても複数段階の選択を可能とし、更に電位治療においては複数種類のモードを選択可能としている。
【００３３】
また、本実施例のデジタル高圧電位治療器では、高圧ソケット９を備えており、この高圧ソケット９に、ニクロム線及び特殊カーボンフィルム等の導電手段を内蔵した通電マット２４を接続することで、通電マットを介して、被治療者に電位治療及び温熱治療を可能としている。
【００３４】
次に、本実施例のデジタル高圧電位治療器の回路構成について説明すると、図１において、２はスタートスイッチであり、このスタートスイッチ２をオンにすることで電源を供給可能となる。
【００３５】
次に、図において３はスイッチング電源であり、本実施例においてこのスイッチング電源３は、交流８５Ｖ〜２６０Ｖの入力を受けてこれを直流２６Ｖに変換する。
【００３６】
そして、このスイッチング電源３には、電圧調整手段としてのＤＣ／ＤＣコンバーター４が接続されており、このＤＣ／ＤＣコンバーター４において、前記直流２６Ｖを直流５Ｖに変換するとともに、変換された直流５Ｖが、制御用電圧として前記マイコン５に入力される。
【００３７】
また、前記スイッチング電源３には電圧制御手段１０が接続されており、この電圧制御手段１０においては、前記スイッチング電源３より供給される直流２６Ｖの電圧が任意の値に制御される。
【００３８】
ここで、前記電圧制御手段１０について図２を参照して説明すると、本実施例において前記電圧制御手段１０は、トランジスタ１１０１とこのトランジスタ１１０１のベースに接続された制御用ＩＣ１１０２を含む電圧制御回路１１を有しており、この電圧制御回路１１のトランジスタ１１０１に前記スイッチング電源３より、メイン電源としての直流２６Ｖが供給される。
【００３９】
また、前記電圧制御手段１０はラダー回路１２を有しており、このラダー回路１２は、前記マイコン５に接続されており、マイコン５からラダー回路１２に対して、０から２５５迄の任意の８ビットの信号が出力される。
【００４０】
一方、ラダー回路１２は前記制御用ＩＣ１１０２に接続されており、マイコン５からの出力に応じた電圧が、制御用ＩＣ１１０２を介して、ラダー回路１２から前記トランジスタ１１０１のベース側に出力され、これにより、メイン電源としての直流２６Ｖの電圧が所望する値に変換された後に出力される。従って本実施例では、マイコン５からの出力を調整することにより、直流２６Ｖを、交流波形に類似した波形として電圧制御回路１１より出力することも可能である。
【００４１】
なお、本実施例においては、前記電圧制御手段１０に、ＤＣ／ＤＣコンバーターを含む制御電圧生成手段１３を備え、この制御電圧生成手段１３の出力側を前記制御用ＩＣ１１０２に接続している。そして、この制御電圧生成手段１３において、スイッチング電源３より供給された直流２６Ｖを直流５Ｖに変換するとともに、この直流５Ｖを前記直流２６Ｖに加算して直流３１Ｖを生成し、この直流３１Ｖを、前記制御用ＩＣ１１０２に供給しており、これにより、メイン電源の直流２６Ｖを確実にトランジスタより出力可能としている。即ち、この制御用の直流３１Ｖを加えない場合には、各種の抵抗等の影響により、マイコン５からの出力を最大にした場合でもトランジスタから直流２６Ｖを出力することが困難になってしまう。そこで本実施例においては、制御用電圧として直流３１Ｖを生成するとともにこの直流３１Ｖを、制御用ＩＣ１１０２に供給し、メイン電源の直流２６Ｖを確実に出力可能としている。
【００４２】
次に、前記マイコン５には電位温熱制御回路１４が接続されており、使用者の設定に応じて、電位治療、温熱治療の切り替えを可能にしている。即ち、電位温熱制御回路１４には、電位治療のためのメイン電源を供給するための交流／直流切替回路１５と、温熱治療のためのメイン電源を供給するための温熱切替回路１６が接続されており、前記電位温熱制御回路１４からの信号を受けて、交流／直流切替回路１５、温熱切替回路１６のいずれかが作動する。
【００４３】
そして、交流／直流切替回路１５が作動すると、前記電圧制御回路１１からの出力が高圧の直流又は交流に変換された後に前記高圧ソケット９に出力されて電位治療が可能となり、一方、温熱切替回路１６が作動すると、前記電圧制御回路１１からの出力が前記高圧ソケット９に温熱治療用の電源として供給されて温熱治療が可能となる。なお、本実施例において、前記交流／直流切替回路１５、温熱切替回路１６としてはＳＣＲを用いている。
【００４４】
次に、交流／直流切替回路１５には高圧発生手段１７が接続されており、この高圧発生手段１７において前記電圧制御回路１１より供給されるメイン電圧を高圧にして出力可能にしている。
【００４５】
そして、高圧発生手段１７では、前記交流／直流切替回路１５に接続されたパルス発振回路１８を備えており、交流／直流切替回路１５が作動すると、電圧制御回路１１から供給される直流電源がパルス発振回路１８に入力される。
【００４６】
ここで、パルス発振回路１８はトランスを備えており、入力された直流電圧を高圧のパルス信号に変換して出力する。なお本実施例においては、直流２５Ｖが入力された場合には、パルス発振回路１８において、これを直流３，０００Ｖのパルスに変換可能としている。
【００４７】
次に、パルス発振回路１８には位相制御回路１９が接続されており、この位相制御回路１９は、プラス側の位相制御回路１９Ａとマイナス側の位相制御回路１９Ｂを備え、被治療者に交流を加えるときに、前記パルス発振回路１８で出力されたパルス信号から、それぞれ、プラス信号、マイナス信号を取り出し、一方、被治療者に直流を加えるときに、マイナス側の位相制御回路１９Ｂのみが作動して、前記パルス発振回路１８で出力されたパルス信号からマイナス信号を取り出す機能を有する。
【００４８】
この位相制御回路１９の作用について説明すると、本実施例において前記位相制御回路１９は、マイコン５による制御に基づいて作動する。そして、被治療者に交流を加えるときには、前記パルス発振回路１８より出力されたパルス信号について、プラス側の信号とマイナス側の信号をそれぞれ別個に取り出すとともに、この取り出した信号を用いてプラス側の波形とマイナス側の波形を生成する。そして、波形の生成に際しては、半サイクル分の信号を１６分割して合成して交流波形を生成することとしている。一方、被治療者に直流を加えるときには、マイナス側の位相制御回路１９Ｂのみが作動して、前記パルス発振回路１８より出力されたパルス信号についてマイナス側の信号を取り出す。なお、被治療者に直流を加える際には、必ずしもマイナス信号を取り出す必要はなくプラス信号を取り出してもよいが、一般的にマイナス信号を出力することによりマイナスイオンが放出されると言われているため、本実施例ではマイナス信号を取り出すこととしている。
【００４９】
次に、前記位相制御回路１９には逓倍回路２０が接続されており、この逓倍回路２０においては、前記取り出された信号がそれぞれ所定の倍率で逓倍される。なお、本実施例において前記逓倍回路２０としては、複数個のダイオードと複数個のコンデンサーを組み合わせた６逓倍回路としており、従って、本実施例においては、変圧手段において高圧に変換された電源の電圧が、この逓倍回路８において約６倍の電圧に変換される。また、逓倍回路２０は、前記プラス側の位相制御回路１９Ａの出力とマイナス側の位相制御回路１９Ｂの出力をそれぞれ逓倍するためのプラス側逓倍回路２０Ａとマイナス側逓倍回路２０Ｂとを備えており、交流を出力する場合には双方が機能し、直流を出力する場合にはマイナス側逓倍回路２０Ｂが機能する。
【００５０】
次に、この逓倍回路２０には、プラス側出力制御回路２１Ａとマイナス側出力制御回路２１Ｂを有した出力制御回路２１が接続されており、この出力制御回路２１は、被治療者に交流を加えるときに、前記マイコン５による制御に基づいて、前記６倍されたプラス波形、マイナス波形のそれぞれの信号について、ゼロ点を合成することで交流波形を生成して出力し、被治療者に直流を加えるときにはマイナス側の逓倍回路２０Ｂの出力を出力する。
【００５１】
そして、この出力制御回路２１、及び前記温熱切替回路１６はそれぞれ、電位温熱切替回路２２に接続されており、使用者のモード設定に従い、電位治療を選択している場合には前記高圧発生手段１７からの出力は、電位温熱切替回路２２を通った後に、高圧ソケット９を介して通電マットに出力され、一方、温熱治療を選択している場合には、温熱切替回路２２からの出力は、電位温熱切替回路２２を通った後に、高圧ソケット９を介して通電マットに出力する。なお、本実施例において電位温熱切替回路２２としては高圧リレーを用いている。
【００５２】
次にこのように構成される本実施例のデジタル高圧電位治療器を用いた高圧電位治療方法について、本実施例のデジタル高圧電位治療器の作用とともに図３のフローチャートを用いて説明すると、例えば商用１００Ｖが接続されている状態において、ステップ１においてスイッチをオンにした後に、ステップ２において被治療者がモードスイッチ６によって所望するモードを設定すると、その後所定時間経過後、本実施例においては約３秒後に治療が開始される。
【００５３】
即ち、スイッチング電源３において、入力電源が直流に変換され、２６Ｖが主電源として電圧制御手段１０に供給されとともに、スイッチング電源３よりの出力は、電圧調整手段としてのＤＣ／ＤＣコンバーター４において直流５Ｖに変換され、この直流５Ｖが、制御用電圧として前記マイコン５に供給される。
【００５４】
次に、電圧制御手段１０に供給された主電源は、ステップ３において、電圧制御回路１１において所望する電圧に調整される。即ち、前述したように、使用者の選択に応じて、マイコン５からラダー回路１２に対して、０から２５５迄の任意の８ビットの信号が出力され、このマイコン５からの入力に従ってラダー回路１２から制御用ＩＣに出力される電圧が調整される。そして、この電圧が、制御用ＩＣ１１０２を介してトランジスタ１１０１のベース側に出力され、これにより、メイン電源としての直流２６Ｖの電圧が調整される。従って、直流を被治療者に加えるときには、マイコン５からの出力を一定にするとよく、一方、交流を被治療者に加えるときには、マイコン５からの出力を０から２５５の間で変化させることにより、電圧制御回路１１からの出力を交流波形に類似した波状の波形として出力することが可能である。なおこのとき、前述のように、本実施例においては、電圧制御手段１０に、ＤＣ／ＤＣコンバーターを含む制御電圧生成手段１３を備えており、この制御電圧生成手段１３において、スイッチング電源３より供給された直流２６Ｖを直流５Ｖに変換するとともに、この直流５Ｖを前記直流２６Ｖに加算して直流３１Ｖを生成し、この直流３１Ｖを前記制御用ＩＣ１１０２に供給しているため、メイン電源の直流２６Ｖは確実にトランジスタより出力される。
【００５５】
次に、電圧制御手段１０によって所望する電圧に調整された主電源は、電位温熱制御回路１４の制御により、被治療者に温熱を加えるときには電位温熱切替回路２２を介して高圧ソケット９に出力され、被治療者に電位を加えるときには、高圧に変換された後に、電位温熱切替回路２２を介して高圧ソケット９に出力される。
【００５６】
即ち、被治療者に温熱を加えるときには、マイコン５からの指示によって電位温熱制御回路１４が温熱切替回路１６を作動させ、これにより、電圧制御手段１０より出力された主電源は、ステップ４において、温熱切替回路１６及び電位温熱切替回路２２を介して高圧ソケット９に出力される。
【００５７】
一方、被治療者に電位を加えるときには、マイコン５からの指示によって電位温熱制御回路１４が交流／直流切替回路１５を作動させ、これにより、電圧制御手段１０よりの出力は高圧発生手段１７において高圧に変換され、その後、電位温熱切替回路２２を介して高圧ソケット９に出力される。
【００５８】
即ち、交流／直流切替回路１５が作動することにより、電圧制御手段１０よりの出力は、まず、パルス発振回路１８に入力されるとともに、パルス発振回路１８において、高圧のパルス信号に変換される（ステップ５）。具体的には、本実施例においては、直流２５Ｖが入力された場合には、３，０００Ｖのパルスに変換される。
【００５９】
次に、交流を被治療者に加えるときには、位相制御回路１９において、パルス発振回路１８よりの出力からプラス信号、マイナス信号がそれぞれ取り出されるとともに、この取り出した信号によって、プラス側の波形とマイナス側の波形が生成され（ステップ１０）、更に、この生成されたプラス側波形とマイナス側波形はそれぞれ、逓倍回路２０において６倍に逓倍される（ステップ１１）。そして、この６倍に逓倍された波形は、ステップ１２において、出力制御回路２１においてゼロ点が合成されて交流波形が生成され、この交流波形は、その後ステップ１３で、電位温熱切替回路２２及び高圧ソケット９を介して通電マット２４より被治療者に加えられる。
【００６０】
一方、直流を被治療者に加えるときには、位相制御回路１９において、パルス発振回路１８よりの出力からマイナス信号が取り出されるとともに（ステップ６）、ステップ７において、この取り出した信号が逓倍回路２０において６倍に逓倍される。そして、この６倍に逓倍された波形によって直流波形が生成され（ステップ８）、この直流波形は、その後ステップ９で、電位温熱切替回路２２及び高圧ソケット９を介して通電マット２４より被治療者に加えられる。
【００６１】
このように、本実施例のデジタル高圧電位治療器では、入力電源の電圧を予め設定した電圧に制御した後に、この予め設定された電圧レベルに変圧された電源を高圧の直流又は交流に変換して出力可能としており、更に高圧に変換する方法として逓倍回路を用いているために、大型のトランスが不要となり、これにより治療器の軽量化を達成することができる。
【００６２】
また、入力電源を高圧の交流として出力するに際して、供給された電源を高圧のパルス信号に変換して出力した後に、このパルス信号よりプラス側の信号及びマイナス側の信号をそれぞれ取り出し、この取り出したプラス側信号及びマイナス側信号を高圧に変換し、その後、高圧に変換したプラス側信号及びマイナス側信号を、ゼロ点を合成して出力することを可能にしているため、ゼロ点を維持して正確な交流波形の電圧を出力することが可能である。
【００６３】
次に、本実施例のデジタル高圧電位治療器による具体的な治療方法について図４乃至図１２を参照して説明すると、図４乃至図１２は各モードにおける、被治療者に加える電圧を示したグラフである。そして、本実施例のデジタル高圧電位治療器では１から９までのモードによる治療を可能としており、この治療のモードは、被治療者によるモードスイッチ６の操作により選択され、その選択に基づいてマイコン５が治療器全体の作動を制御する。即ち、本実施例においては、モードスイッチ６には予め９つのファンクションが有り、このファンクションには電位治療の設定が予め設定されており、モードスイッチ６によりモードを設定するのみで所望するモードの電位治療を行うことを可能としている。
【００６４】
また、予め設定されている設定値を変更することも可能としており、モードスイッチ６による操作により電位等の電圧や治療時間等が変更可能である。
【００６５】
更に、本実施例においては、一度モードを設定するとそのモードがメモリされ、次回スタートスイッチをオンしたときは、前回と同じモードを選択するときにはモード設定をすることなく治療を行うことを可能にしている。
【００６６】
なお、モード１、及びモード３乃至９において、電位設定時間は、１ｋｖ以上の電位時間を積算しており、１時間以内で１，０００Ｖに下降する様にしている。
【００６７】
まず、図４はモード１を示し、このモード１は電位治療のモードとしている。即ち、操作者が設定した電圧の直流又は交流が生成された後に、この直流又は交流が所定時間だけ被治療者に加えられる。そして、図においては、直流の場合には１４，０００Ｖ、交流の場合には９，０００Ｖの電位が所定時間加えられ、その後この電位を１，０００Ｖに下げて加えている。なお、３，０００Ｖ以上の高圧の電位を加えるときには１時間以内という規制があるため、本実施例においても、３，０００Ｖ以上の高圧を加えるときには１時間以内に制限している。
【００６８】
次に、図５はモード２を示しており、このモード２は温熱治療のモードとし、温熱のみが所定時間だけ被治療者に加えられる。
【００６９】
次に、図６はモード３を示しており、モード３は電位治療と温熱治療の切替モードであり、温熱が所定時間だけ被治療者に加えられた後に、設定された電圧値の高圧の直流又は交流が所定時間だけ被治療者に加えられる。そして、図においては、電位を加える際には所定時間だけ、交流９，０００Ｖ、又は直流１４，０００Ｖが加えられ、その後電圧を１，０００Ｖに下げている。
【００７０】
また、図７はモード４であり、このモード４もまた電位治療と温熱治療の切替モードである。そして、このモード４では、温熱と電位を所定時間ごとに切り替えながら所定時間だけ繰り返し被治療者に加えられる。具体的には、図７においては、温熱と、高圧の直流又は交流を、１分ごとに切替ながら被治療者に加えるとともに、電位に関しては、治療当初は電位の電圧を１，０００Ｖにして出力し、その後は１４，０００Ｖ（直流）又は９，０００（交流）にして出力し、その後再び１，０００Ｖにして出力している。
【００７１】
次に、図８はモード５を示しており、モード５では、温熱を所定時間だけ被治療者に加えた後に電位を加えるモードとしている。そして、電位を加える際には、その加える電圧値を、予め設定した最低値から予め設定した最高値まで徐々に上昇させ、電圧値が設定値に達した後は、この設定値を所定時間だけ維持し、その後所定時間経過後は、再び最低値から設定値まで徐々に上昇させ、以後は予め設定した所定時間内はこれを繰り返すモードとしている。具体的には、電位に関しては、１，０００Ｖから初めて、１秒ごとに１，０００Ｖ電圧を上げ、９秒で９，０００Ｖまで上昇させている。そして、電位を加え始めたときから１分間経過するまで９，０００Ｖを維持し、その後再び、１，０００Ｖから９，０００Ｖまで、１秒間に１，０００Ｖずつ上昇させ、電位を加え始めたときから１分間経過するまで９，０００Ｖを維持し、その後はこの動作を繰り返しながら被治療者に電位を加え、所定時間経過後は、１，０００Ｖを継続して被治療者に加えることとしている。
【００７２】
次に、図９乃至図１２は特に睡眠中に適したモードとしており、図９はモード６を示している。そして、このモード６では、前述のモード４を変形させた方法で、温熱と電位を１分ごとに切り替えながら、所定時間だけ繰り返し被治療者に加える方法において、高圧を加える際に、１秒ごとに１，０００Ｖずつ上昇させて設定電圧まで上昇させるモードとしている。このように、高圧を加える際に徐々に電圧を上昇して設定電圧にしているため、被治療者の負担を少なくすることが可能となる。なお、１、０００Ｖから９，０００Ｖ又は１４，０００Ｖまで上昇させるとともにその電圧を保持し、次に電圧を下降させて１，０００Ｖにするまでの時間は１分間にしている。
【００７３】
そして、図１０はモード７を示しており、図１０では、スイッチオンから所定時間、具体的には４０分間は温熱を加え、その後所定時間だけ９，０００Ｖの交流又は１４，０００Ｖの直流を加え、その後所定時間だけ温熱を加え、更にその後所定時間だけ１，０００Ｖの電位を加えるモードとしている。即ち、一般的に人間は、深い眠りに入るまでには約４０分程度を必要とし、その後５０分程度深い眠りになると言われている。そこで、モード７では、深い眠りに入るまでは温熱を加え、深い眠りに入った後に電位を加えるモードとしている。そして、高圧を加える際には、１秒ごとに１，０００Ｖずつ電圧を上昇して高圧にしてこの設定電圧を保持し、高圧を終える際には、１秒ごとに１，０００Ｖずつ電圧を下降させる方式を採用している。
【００７４】
次に、図１１はモード８を示しており、図１１では、温熱と電位を１分ごとに切り替えながら、所定時間だけ繰り返し被治療者に加えるとともに、電位に関しては、スイッチオンから所定時間、具体的に４０分間、１，０００Ｖを加え、その後は９，０００Ｖ又は１４，０００Ｖを加え、更にその後は１，０００Ｖに下げて加えるモードとしている。そして、前記モード９と同様に、高圧を加える際には１秒ごとに１，０００Ｖずつ電圧を上昇して高圧にし、高圧を終える際には１秒ごとに１，０００Ｖずつ電圧を下降させる方式を採用している。なお、１、０００Ｖから９，０００Ｖ又は１４，０００Ｖまで上昇させるとともにその電圧を保持し、次に電圧を下降させて１，０００Ｖにするまでの時間は１分間にしている。
【００７５】
そして、図１２はモード９を示しており、モード９は電位のみを加えるモードとしており、当初４０分は１，０００Ｖを加え、その後、選択時間は９，０００Ｖ又は１４，０００Ｖを加え、更にその後は１，０００Ｖを８０分加え、その後は、１０分間９，０００Ｖ又は１４，０００Ｖを加えるとともにその後８０分１，０００Ｖを加えることを８時間内で繰り返すモードとしている。そして、このモードにおいても、高圧を加える際には１秒ごとに１，０００Ｖずつ電圧を上昇して高圧にし、高圧を終える際には１秒ごとに１，０００Ｖずつ電圧を下降させる方式を採用している。
【００７６】
なお、モード１、モード３乃至９に説明している交流電圧又は直流電圧は、１，０００Ｖ〜１４，０００Ｖまで１、０００Ｖ単位で設定可能であるが、交流の場合には９，０００Ｖ迄、直流の場合には１４，０００Ｖ迄の設定が可能となっている。
【００７７】
また、前記モード５乃至９では、温熱と電位の設定時間は連動させており、温熱治療の時間と電位治療の時間の合計が常に９０分になるようにしている。
【００７８】
なお、本発明の高圧電位治療方法は必ずしも前記のモードに限定されるものでなく、その他のモードにより治療を行ってもよい。
【産業上の利用可能性】
【００７９】
本発明では、被治療者に高圧の電位を加えるに際して大型のトランスを不要とており、また、直流を交流にして出力するに際して、正確な交流波形の電圧を出力可能としているため、交流と直流の双方を出力可能としたデジタル高圧電位治療器の全般に適用可能である。
【図面の簡単な説明】
【００８０】
【図１】本発明のデジタル高圧電位治療器の実施例における回路構成を示しブロック図である。
【図２】本発明のデジタル高圧電位治療器の実施例における電圧制御手段の構成を示しブロック図である。
【図３】本発明のデジタル高圧電位治療器の実施例の作用を説明するためのフローチャートである。
【図４】本発明のデジタル高圧電位治療器の実施例におけるモード１を説明するためのグラフである。
【図５】本発明のデジタル高圧電位治療器の実施例におけるモード２を説明するためのグラフである。
【図６】本発明のデジタル高圧電位治療器の実施例におけるモード３を説明するためのグラフである。
【図７】本発明のデジタル高圧電位治療器の実施例におけるモード４を説明するためのグラフである。
【図８】本発明のデジタル高圧電位治療器の実施例におけるモード５を説明するためのグラフである。
【図９】本発明のデジタル高圧電位治療器の実施例におけるモード６を説明するためのグラフである。
【図１０】本発明のデジタル高圧電位治療器の実施例におけるモード７を説明するためのグラフである。
【図１１】本発明のデジタル高圧電位治療器の実施例におけるモード８を説明するためのグラフである。
【図１２】本発明のデジタル高圧電位治療器の実施例におけるモード９を説明するためのグラフである。
【符号の説明】
【００８１】
１    デジタル高圧電位治療器
２    スタートスイッチ
３    スイッチング電源
４    ＤＣ／ＤＣコンバーター
５    マイコン
６    モードスイッチ
７    表示手段
８    音声発生手段
９    高圧ソケット
１０    電圧制御手段
１１    電圧制御回路
１２    ラダー回路
１３    制御電圧生成手段（ＤＣ／ＤＣコンバーター）
１４    電位温熱制御回路
１５    交流／直流切替回路
１６    温熱切替回路
１７    高圧発生手段
１８    パルス発振回路
１９    位相制御回路
２０    逓倍回路
２１    出力制御回路
２２    電位温熱切替回路
２４    通電マット
【図１】
0004500247.tif 000002
【図２】
0004500247.tif 000003
【図３】
0004500247.tif 000004
【図４】
0004500247.tif 000005
【図５】
0004500247.tif 000006
【図６】
0004500247.tif 000007
【図７】
0004500247.tif 000008
【図８】
0004500247.tif 000009
【図９】
0004500247.tif 000010
【図１０】
0004500247.tif 000011
【図１１】
0004500247.tif 000012
【図１２】
0004500247.tif 000013